(57)【要約】【課題】簡潔な構成によって二つの情報保持媒体から電子情報をそれぞれ取得でき、電力及びコストを抑制可能な非接触通信装置及び玩具を提供する。【解決手段】アンテナコイル２１は、筐体１１の第１面１３に沿って配置された第１コイルループ部２１１と、筐体１１の第２面１４に沿って配置された第２コイルループ部２１２とを有する。そして、第１コイルループ部２１１及び第２コイルループ部２１２は、アンテナコイル２１を貫く直線ＣＬ上に設けられた電磁遮蔽体２２を間に挟んで配置されるとともに、直線ＣＬまわりに同じ方向に巻かれ且つ互いに直列に回路に接続されている。このため、簡潔な構成によって二つの情報保持媒体１００から電子情報をそれぞれ取得でき、電力及びコストを抑制することができる。【選択図】図２
2020178366.tif 000002
【特許請求の範囲】
【請求項１】
電子情報を保持する情報保持媒体との間で無線通信する非接触通信装置であって、
アンテナコイルと、
前記アンテナコイルを介して前記情報保持媒体との間で伝達される信号を処理する回路が実装された回路基板と、
前記アンテナコイル及び前記回路基板を収容した筐体と、
電磁遮蔽体と、
を備え、
前記アンテナコイルは、前記筐体の第１面近傍に配置された第１コイルループ部と、前記筐体の前記第１面とは反対側の第２面近傍に配置された第２コイルループ部と、を有し、
前記電磁遮蔽体は、前記第１コイルループ部及び前記第２コイルループ部を貫く直線上で、かつ、前記第１コイルループ部及び前記第２コイルループ部の間に配置され、
前記第１コイルループ部及び前記第２コイルループ部は、
前記直線まわりに同じ方向に巻かれ且つ、互いに直列に前記回路に接続されている非接触通信装置。
【請求項２】
請求項１記載の非接触通信装置であって、
前記電磁遮蔽体は、前記回路基板である非接触通信装置。
【請求項３】
請求項１又は２記載の非接触通信装置であって、
前記第１コイルループ部及び前記第２コイルループ部は、互いに相似なループ形状を有する非接触通信装置。
【請求項４】
請求項３記載の非接触通信装置であって、
前記第１コイルループ部及び前記第２コイルループ部は、互いに同一なループ形状を有する非接触通信装置。
【請求項５】
請求項１から４のいずれか一項記載の非接触通信装置であって、
前記第１コイルループ部がその上にある第１平面と、前記第２コイルループ部がその上にある第２平面とは、互いに平行に配置されている非接触通信装置。
【請求項６】
請求項５記載の非接触通信装置であって、
前記第１コイルループ部の中心及び前記第２コイルループ部の中心は、互いに同一軸上に配置されている非接触通信装置。
【請求項７】
請求項１から６のいずれか一項記載の非接触通信装置であって、
前記直線の延長方向視において、前記電磁遮蔽体は、前記第１コイルループ部の内径及び前記第２コイルループ部の内径の内側に配置されている非接触通信装置。
【請求項８】
請求項１から７のいずれか一項記載の非接触通信装置であって、
前記第１コイルループ部の巻き数は、前記第２コイルループ部の巻き数より少ない非接触通信装置。
【請求項９】
請求項８に記載の非接触通信装置であって、
前記筐体の前記第１面には、前記情報保持媒体が装着される装着部が設けられている非接触通信装置。
【請求項１０】
請求項１から９のいずれか一項記載の非接触通信装置によって構成される通信部と、
前記非接触通信装置の前記筐体に収容された、動作部、記憶部、及び制御部と、
を備え、
前記記憶部は、前記動作部を動作させるための複数の動作データを前記電子情報に関連付けて記憶しており、
前記制御部は、前記記憶部に記憶された前記複数の動作データのうち前記通信部によって取得された前記電子情報に対応する動作データに基づいて前記動作部を動作させる玩具。
【請求項１１】
請求項１０記載の玩具であって、
前記複数の動作データのうち一部の動作データは、二つの前記電子情報の組み合わせに関連付けられており、
前記通信部は、二つの前記情報保持媒体が前記筐体の前記第１面及び前記第２面にそれぞれ配置された場合に、二つの前記情報保持媒体それぞれの前記電子情報を取得し、
前記制御部は、前記通信部によって二つの前記電子情報が取得された場合に、前記通信部によって取得された二つの前記電子情報の組み合わせに対応する動作データに基づいて前記動作部を動作させる玩具。
【請求項１２】
請求項１１記載の玩具であって、
前記通信部は、前記情報保持媒体に書き込み可能に構成されており、
前記制御部は、前記通信部によって取得された前記電子情報に基づいて前記情報保持媒体に書き込む書き込み情報を生成し、前記通信部によって二つの前記電子情報が取得された場合に、取得された二つの前記電子情報の組み合せに応じて前記書き込み情報を変化させる玩具。
【請求項１３】
請求項１０から１２のいずれか一項記載の玩具であって、
前記動作部は、音、光、表示、動きの少なくとも一つを含む演出を出力する玩具。
【発明の詳細な説明】
【技術分野】
【０００１】
本発明は、電子情報を保持する情報保持媒体との間で無線通信する非接触通信装置及び玩具に関する。
【背景技術】
【０００２】
特許文献１に記載された玩具は、非接触通信装置を備える主玩具体と、情報保持媒体としての副玩具体とを備え、主玩具体に対して副玩具体が近接されると、副玩具体の電子情報が主玩具体によって取得される。副玩具体の電子情報を取得した主玩具体は、取得した電子情報に応じて、音や光を用いた演出を出力する。
【先行技術文献】
【特許文献】
【０００３】
【特許文献１】特開２０１４−００４２６３号公報
【発明の概要】
【発明が解決しようとする課題】
【０００４】
特許文献１に記載された玩具のように、情報保持媒体との間の非接触通信によって情報保持媒体から電子情報を取得し、取得した電子情報に応じて演出を出力するように構成された玩具において、二つの情報保持媒体から電子情報をそれぞれ取得し、取得した二つの電子情報の組み合わせに応じて演出を変化させることにより、演出を多様化して玩具の興趣性を高めることが可能となる。
【０００５】
例えばアンテナコイル、及びアンテナコイルを介して情報保持媒体との間で伝達される信号を処理する信号処理回路を二組用いることにより、二つの情報保持媒体から電子情報をそれぞれ取得することが可能である。また、二つのアンテナコイルを一つの信号処理回路に高周波スイッチを介して逐次切り替えて接続することによっても、二つの情報保持媒体から電子情報をそれぞれ取得することが可能である。
【０００６】
しかし、アンテナコイル及び信号処理回路を二組用いる場合、及び二つのアンテナコイルを一つの信号処理回路に高周波スイッチを介して逐次切り替えて接続する場合のいずれも消費電力及び製造コストの増加が懸念され、電力及びコストの制約が比較的厳しい玩具には不向きである。
【０００７】
本発明は、上述した事情に鑑みなされたものであり、簡潔な構成によって二つの情報保持媒体から電子情報をそれぞれ取得でき、電力及びコストを抑制可能な非接触通信装置及び玩具を提供することを目的とする。
【課題を解決するための手段】
【０００８】
本発明に係る非接触通信装置は、電子情報を保持する情報保持媒体との間で無線通信する非接触通信装置であって、アンテナコイルと、前記アンテナコイルを介して前記情報保持媒体との間で伝達される信号を処理する回路が実装された回路基板と、前記アンテナコイル及び前記回路基板を収容した筐体と、電磁遮蔽体と、を備え、前記アンテナコイルは、前記筐体の第１面近傍に配置された第１コイルループ部と、前記筐体の前記第１面とは反対側の第２面近傍に配置された第２コイルループ部と、を有し、前記電磁遮蔽体は、前記第１コイルループ部及び前記第２コイルループ部を貫く直線上で、かつ、前記第１コイルループ部及び前記第２コイルループ部の間に配置され、前記第１コイルループ部及び前記第２コイルループ部は、前記直線まわりに同じ方向に巻かれ且つ、互いに直列に前記回路に接続されていることを特徴とする。
【０００９】
また、本発明に係る非接触通信装置においては、前記電磁遮蔽体は、前記回路基板であってもよい。
【００１０】
また、本発明に係る非接触通信装置においては、前記第１コイルループ部及び前記第２コイルループ部は、互いに相似なループ形状を有してもよい。
【００１１】
また、本発明に係る非接触通信装置においては、前記第１コイルループ部及び前記第２コイルループ部は、互いに同一なループ形状を有してもよい。
【００１２】
また、本発明に係る非接触通信装置においては、前記第１コイルループ部がその上にある第１平面と、前記第２コイルループ部がその上にある第２平面とは、互いに平行に配置されてもよい。
【００１３】
また、本発明に係る非接触通信装置においては、前記第１コイルループ部の中心及び前記第２コイルループ部の中心は、互いに同一軸上に配置されてもよい。
【００１４】
また、本発明に係る非接触通信装置においては、前記直線の延長方向視において、前記電磁遮蔽体は、前記第１コイルループ部の内径及び前記第２コイルループ部の内径の内側に配置されてもよい。
【００１５】
また、本発明に係る非接触通信装置においては、前記第１コイルループ部の巻き数は、前記第２コイルループ部の巻き数より少なくてもよい。
【００１６】
また、本発明に係る非接触通信装置においては、前記筐体の前記第１面には、前記情報保持媒体が装着される装着部が設けられてもよい。
【００１７】
また、本発明に係る玩具は、上記非接触通信装置によって構成される通信部と、前記非接触通信装置の前記筐体に収容された、動作部、記憶部、及び制御部と、を備え、前記記憶部は、前記動作部を動作させるための複数の動作データを前記電子情報に関連付けて記憶しており、前記制御部は、前記記憶部に記憶された前記複数の動作データのうち前記通信部によって取得された前記電子情報に対応する動作データに基づいて前記動作部を動作させることを特徴とする。
【００１８】
また、本発明に係る玩具においては、前記複数の動作データのうち一部の動作データは、二つの前記電子情報の組み合わせに関連付けられており、前記通信部は、二つの前記情報保持媒体が前記筐体の前記第１面及び前記第２面にそれぞれ配置された場合に、二つの前記情報保持媒体それぞれの前記電子情報を取得し、前記制御部は、前記通信部によって二つの前記電子情報が取得された場合に、前記通信部によって取得された二つの前記電子情報の組み合わせに対応する動作データに基づいて前記動作部を動作させてもよい。
【００１９】
また、本発明に係る玩具においては、前記通信部は、前記情報保持媒体に書き込み可能に構成されており、前記制御部は、前記通信部によって取得された前記電子情報に基づいて前記情報保持媒体に書き込む書き込み情報を生成し、前記通信部によって二つの前記電子情報が取得された場合に、取得された二つの前記電子情報の組み合せに応じて前記書き込み情報を変化させてもよい。
【００２０】
また、本発明に係る玩具においては、前記動作部は、音、光、表示、動きの少なくとも一つを含む演出を出力してもよい。
【発明の効果】
【００２１】
本発明によれば、簡潔な構成によって二つの情報保持媒体から電子情報をそれぞれ取得でき、電力及びコストを抑制可能な非接触通信装置及び玩具を提供することができる。また、本発明によれば、簡潔な構成によって異なる面でも良好に情報保持媒体の電子情報を取得でき、電力及びコストを抑制可能な非接触通信装置及び玩具を提供することができる。
【図面の簡単な説明】
【００２２】
【図１】本発明の実施形態を説明するための、玩具の斜視図である。
【図２】玩具の内部に設けられている非接触通信装置の斜視図である。
【図３】玩具の機能ブロック図である。
【図４】（Ａ）は第１コイルループ部及び第２コイルループ部の一例の平面図であり、（Ｂ）は正面図である。
【図５】（Ａ）は第１コイルループ部及び第２コイルループ部の一例の平面図であり、（Ｂ）は正面図である。
【図６】（Ａ）は第１コイルループ部及び第２コイルループ部並びに回路基板の一例の平面図であり、（Ｂ）は正面図である。
【図７】玩具の使用例の斜視図である。
【図８】（Ａ）は玩具の第１面側に情報保持媒体が配置された状態の模式図であり、（Ｂ）は玩具の第２面側に情報保持媒体が配置された状態の模式図である。
【図９】玩具の他の使用例の模式図である。
【図１０】玩具の他の使用例の模式図である。
【発明を実施するための形態】
【００２３】
以下、添付図面を参照して、本発明を実施するための形態（以下、「実施形態」という。）について詳細に説明する。なお、実施形態の説明の全体を通して同じ要素には同じ番号を付している。また、図面は、符号の向きに見るものとする。
【００２４】
図１及び図２は、本発明の実施形態を説明するための、非接触通信装置及び玩具の一例を示す。
【００２５】
玩具１０は、電子情報を保持する情報保持媒体との間で電子情報を授受し、情報保持媒体から取得した電子情報に基づいて動作するものである。
【００２６】
玩具１０は、筐体１１を備えている。筐体１１は、例えば箱状をした筐体本体１２と、筐体本体１２の上側（図１において上側）を覆う上蓋（第１面）１３と、筐体本体１２における上蓋１３の反対側に設けられた下蓋（第２面）１４とを有する。上蓋１３の上面は、カバー１５で覆われている。上蓋１３、下蓋１４、及びカバー１５は、例えば樹脂などの電磁波透過材料からなる。
【００２７】
玩具１０は、情報保持媒体との間で無線通信する非接触通信装置２０をさらに備える。非接触通信装置２０は、アンテナコイル２１と、アンテナコイル２１を介して情報保持媒体との間で伝達される信号を処理する信号処理回路が実装された回路基板２２とを有し、筐体１１に収容されている。
【００２８】
アンテナコイル２１は、第１コイルループ部２１１と第２コイルループ部２１２とを有する。第１コイルループ部２１１は、上蓋１３に沿って配置され、第２コイルループ部２１２は、下蓋１４に沿って配置されている。また、第１コイルループ部２１１及び第２コイルループ部２１２は、第１コイルループ部２１１及び第２コイルループ部２１２を貫く直線ＣＬ上に設けられた電磁遮蔽体としての回路基板２２を間に挟んで配置されている。別言すれば、電磁遮蔽体としての回路基板２２は、第１コイルループ部２１１及び第２コイルループ部２１２を貫く直線ＣＬ上で、かつ、第１コイルループ部２１１及び第２コイルループ部２１２の間に配置されている。
【００２９】
第１コイルループ部２１１及び第２コイルループ部２１２は、直線ＣＬまわりに同じ方向に巻かれ且つ互いに直列に回路基板２２の信号処理回路２３に接続されている。本例では、第１コイルループ部２１１及び第２コイルループ部２１２は、互いに同一のループ形状を有し、略円形状に形成されている。また、本例では、第１コイルループ部２１１及び第２コイルループ部２１２は互いに同一軸上に配置され、且つ、第１コイルループ部２１１がその上にある第１平面と、第２コイルループ部２１２がその上にある第２平面とは互いに平行に配置されている。
【００３０】
図３は、玩具１０の機能ブロックを示す。
【００３１】
玩具１０は、通信部３１、動作部３２、記憶部３３、制御部３４、電源部３５、及び操作部３６を有する。
【００３２】
通信部３１は、アンテナコイル２１及び回路基板２２に実装された信号処理回路２３を有する非接触通信装置２０によって構成され、情報保持媒体１００との間で信号を伝達する。動作部３２は、スピーカ等の発音体やＬＥＤ等の発光素子を含み、音及び光の少なくとも一方を含む演出を出力可能に構成されている。記憶部３３は、ＲＯＭ等を含み、動作部３２を動作させるための複数の動作データを、情報保持媒体１００に保持される電子情報に関連付けて記憶している。なお、動作部３２はほかに、表示媒体等による表示体やモータ等による動作機構等も含むことができる。
【００３３】
制御部３４は、ＣＰＵを主体として構成され、通信部３１、動作部３２、記憶部３３を統括して制御する。制御部３４は、記憶部３３に記憶された複数の動作データのうち、通信部３１によって情報保持媒体１００から取得される電子情報に対応する動作データに基づいて動作部３２を動作させる。
【００３４】
電源部３５は、通信部３１、動作部３２、記憶部３３、及び制御部３４に動作電力を供給する。操作部３６は、電源スイッチや、通信部３１による通信開始を制御部３４に指示するスイッチを含む。
【００３５】
玩具１０との間で通信する情報保持媒体１００は、アンテナコイル１０１及びＩＣ１０２を有しており、ＩＣ１０２には電子情報が保持されている。
【００３６】
玩具１０と情報保持媒体１００との間の通信は、以下のようにして行われる。
【００３７】
操作部３６のスイッチ操作によって通信開始の指示がなされると、玩具１０のアンテナコイル２１に交流電流が供給され、アンテナコイル２１の周囲に交流磁界が形成される。交流磁界に配置された情報保持媒体１００のアンテナコイル１０１には誘導起電力が発生して電流が流れ、アンテナコイル１０１が接続されたＩＣ１０２が駆動される。そして、ＩＣ１０２に保持された電子情報に基づいて変調された信号が交流磁界に乗せられて情報保持媒体１００のアンテナコイル１０１から玩具１０のアンテナコイル２１に送信され、アンテナコイル２１にて受信された信号が信号処理回路２３によって復調され、電子情報が取り出される。
【００３８】
アンテナコイル２１の周囲に形成される交流磁界は、第１コイルループ部２１１によって形成される交流磁界と、第２コイルループ部２１２によって形成される交流磁界とが合成されたものである。第１コイルループ部２１１及び第２コイルループ部２１２は、上記のとおりに、直線ＣＬまわりに同じ方向に巻かれ且つ互いに直列に回路基板２２の信号処理回路２３に接続されていることから、第１コイルループ部２１１によって形成される交流磁界と第２コイルループ部２１２によって形成される交流磁界との位相は同じであり、互いに増強し合う。
【００３９】
ただし、図２に示したように、第１コイルループ部２１１及び第２コイルループ部２１２の間には電磁遮蔽体としての回路基板２２が配置されており、第１コイルループ部２１１及び第２コイルループ部２１２それぞれの交流磁界の磁束が回路基板２２を貫くことにより、回路パターンなどの回路基板２２の導体部分に渦電流が生じる。渦電流は回路基板２２を貫く磁束と相反する磁束を生じさせ、この渦電流に起因する磁束によってアンテナコイル２１の周囲に形成される交流磁界の強度低下が生じ得る。
【００４０】
しかしながら、回路基板２２を間に挟んで第１コイルループ部２１１及び第２コイルループ部２１２が配置されていることにより、第１コイルループ部２１１側及び第２コイルループ部２１２側のいずれの側でも情報保持媒体１００との間の通信に必要な磁界強度を保つことができる。仮に、筐体１１の上蓋１３近傍に配置される（本実施形態においては、上蓋１３に沿って配置される）第１コイルループ部２１１のみによってアンテナコイル２１が構成された場合には、筐体１１の下蓋１４側では交流磁界の強度が著しく低下して通信不能となる。
【００４１】
次に、図４から図６を参照して、アンテナコイル２１の好ましい構成例について説明する。
【００４２】
アンテナコイル２１の周囲の交流磁界の磁界強度及び対称性を高める観点から、第１コイルループ部２１１及び第２コイルループ部２１２は、好ましくは、互いに相似なループ形状を有し、さらに好ましくは、図２に示したように同一のループ形状を有する。
【００４３】
例えば、図４に示す例では、第１コイルループ部２１１のループ形状は略矩形状であり、第２コイルループ部２１２のループ形状は略円形状であり、このように第１コイルループ部２１１及び第２コイルループ部２１２のループ形状が互いに異なっていると、第１コイルループ部２１１及び第２コイルループ部２１２の重なり合いにおいて、非重畳領域Ｒが生じる。この非重畳領域Ｒでは、第１コイルループ部２１１及び第２コイルループ部２１２それぞれ交流磁界の相殺が生じ、アンテナコイル２１の周囲に形成される交流磁界の強度低下、つまりは通信感度の低下が生じ得る。また、非重畳領域Ｒは、第１コイルループ部２１１及び第２コイルループ部２１２それぞれの中心軸に関して円対称とはなっておらず、アンテナコイル２１の周囲に形成される交流磁界の対称性の乱れ、つまりは通信感度分布の乱れが生じ得る。
【００４４】
第１コイルループ部２１１及び第２コイルループ部２１２を、互いに相似なループ形状とし、さらには同一のループ形状とすることにより、非重畳領域Ｒを縮小してアンテナコイル２１の周囲に形成される交流磁界の磁界強度及び対称性を高めることができる。
【００４５】
また、アンテナコイル２１の周囲の交流磁界の磁界強度及び対称性を高める観点から、第１コイルループ部２１１及び第２コイルループ部２１２は、好ましくは互いに平行且つ同一軸上に配置される。
【００４６】
例えば、図５に示す例では、第１コイルループ部２１１及び第２コイルループ部２１２それぞれの中心軸が互いに平行を保ってずれており、第１コイルループ部２１１及び第２コイルループ部２１２の重なり合いにおいて非重畳領域Ｒが生じ、上記のとおりアンテナコイル２１の周囲に形成される交流磁界の強度低下及び対称性の乱れが生じ得る。第１コイルループ部２１１及び第２コイルループ部２１２それぞれの中心軸が互いに傾いている場合にも、同様にアンテナコイル２１の周囲に形成される交流磁界の強度低下及び対称性の乱れが生じ得る。
【００４７】
第１コイルループ部２１１及び第２コイルループ部２１２を、互いに同一軸上且つ平行に配置することにより、非重畳領域Ｒを縮小してアンテナコイル２１の周囲に形成される交流磁界の磁界強度及び対称性を高めることができる。
【００４８】
また、図６に示すように、アンテナコイル２１の周囲の交流磁界の磁界強度を高める観点から、回路基板２２は、好ましくは、第１コイルループ部２１１及び第２コイルループ部２１２を貫く直線ＣＬ（図２参照）の延長方向視において、第１コイルループ部２１１及び第２コイルループ部２１２の内側に配置される。回路基板２２が第１コイルループ部２１１及び第２コイルループ部２１２の内側に配置されることにより、第１コイルループ部２１１及び第２コイルループ部２１２の交流磁界の一部の磁束は、回路基板２２を貫くことなく、回路基板２２の脇を通過でき、アンテナコイル２１の周囲の交流磁界の磁界強度を高めることができる。
【００４９】
次に、図７から図１０を参照して、玩具１０の使用例について説明する。
【００５０】
図７は、情報保持媒体の一例を示す。
【００５１】
図７に示す情報保持媒体は略円盤状に形成されたメダル１００Ａであり、メダル１００Ａには、アンテナコイル１０１（図３参照）及びＩＣ１０２（図３参照）が一体とされたタグ１０３が埋め込まれている。
【００５２】
玩具１０の上蓋１３には、メダル１００Ａが装着される装着部１６が設けられている。装着部１６は、並行して延びる一対のガイドレール１６１を含み、メダル１００Ａの下面には、一対のガイドレール１６１に対応した溝１０４が設けられている。メダル１００Ａは一対のガイドレール１６１に導かれて上蓋１３の所定位置に配置され、メダル１００Ａのタグ１０３は上蓋１３近傍に配置されている（本実施例では上蓋１３に沿って配置されている）第１コイルループ部２１１に対して一定の位置関係に配置される。
【００５３】
図８（Ａ）に示すように、メダル１００Ａが装着部１６に装着された状態で、玩具１０の操作部３６（図３参照）のスイッチ操作によって通信開始の指示がなされると、玩具１０の制御部３４（図３参照）は通信部３１（図３参照）を動作させる。通信部３１は、アンテナコイル２１とメダル１００Ａのタグ１０３との間で信号を授受し、タグ１０３に保持された電子情報を取得する。
【００５４】
そして、制御部３４は、通信部３１によって取得された電子情報に対応する動作データを記憶部３３（図３参照）から読み出し、読み出した動作データに基づいて動作部３２（図３参照）を動作させる。これにより、動作部３２から音及び光の少なくとも一方を含む演出が出力される。演出の一例として、メダル１００Ａにはメダル毎に異なるキャラクタの絵柄が付されており、キャラクタの名称「メダル怪獣」を含む音声が出力される。
【００５５】
図８（Ａ）に示す例では、アンテナコイル２１の第１コイルループ部２１１が隣設されている玩具１０の上蓋１３側にメダル１００Ａのタグ１０３が配置されているが、上記のとおり、第２コイルループ部２１２が隣設されている玩具１０の下蓋１４側でも通信に必要な磁界強度が保たれていることから、図８（Ｂ）に示すように、下蓋１４側にメダル１００Ａのタグ１０３が配置された場合にも、通信部３１は、アンテナコイル２１とメダル１００Ａのタグ１０３との間で信号を授受して電子情報を取得可能である。
【００５６】
なお、メダル１００Ａが装着部１６に装着されることによって上蓋１３側に配置されたメダル１００Ａのタグ１０３は、上蓋１３に隣設された第１コイルループ部２１１に対して一定の位置関係に配置される。これに対して、下蓋１４にはメダル１００Ａが装着される装着部が設けられておらず、下蓋１４側にはメダル１００Ａ以外の種々の形状をした情報保持媒体が配置されることも想定され、下蓋１４側に配置された情報保持媒体と下蓋１４に隣設された第２コイルループ部２１２との位置関係は一定しない。このため、下蓋１４側の磁界強度を上蓋１３側の磁界強度に比べて高くすることが好ましく、第２コイルループ部２１２の巻き数を相対的に多くすることが好ましい。また、第１コイルループ部２１１の巻き数を相対的に少なくすることも許される。
【００５７】
図９に示す玩具１０の使用例は、上記のメダル１００Ａと、情報保持媒体としての銃を模した副玩具１００Ｂとを共に用いるものである。副玩具１００Ｂには、メダル１００Ａのタグ１０３と同様、アンテナコイル及びＩＣが一体とされたタグ１０５が埋め込まれている。
【００５８】
メダル１００Ａのタグ１０３が玩具１０の上蓋１３側に配置され、また副玩具１００Ｂのタグ１０５が玩具１０の下蓋１４側に配置された状態で、玩具１０の操作部３６（図３参照）のスイッチ操作によって通信開始の指示がなされると、玩具１０の制御部３４（図３参照）は通信部３１（図３参照）を動作させる。通信部３１は、アンテナコイル２１とメダル１００Ａのタグ１０３及び副玩具１００Ｂのタグ１０５との間で信号を授受し、タグ１０３及びタグ１０５に保持された電子情報を取得する。具体的には、メダル１００Ａ及びタグ１０３は、玩具１０の上蓋１３側に隣接された（上蓋１３近傍に配置された）第１コイルループ部２１１に対して一定の位置関係に配置されており、第１コイルループ部２１１によって通信部３１との間でタグ１０３の信号の授受がされる。また、副玩具１００Ｂ及びタグ１０５は、玩具１０の下蓋１４側に隣接された（下蓋１４近傍に配置された）第２コイルループ部２１２によって通信部３１との間でタグ１０５の信号の授受がされる。なお、ＲＦＩＤ(Radio Frequency Identifier)の読み取りにおいて公知のアンチコリジョン技術を適用することにより、タグ１０３及びタグ１０５から衝突なく電子情報を取得することができる
【００５９】
そして、制御部３４は、通信部３１によって取得されたタグ１０３の電子情報及びタグ１０５の電子情報との組み合わせに対応する動作データを記憶部３３（図３参照）から読み出し、読み出した動作データに基づいて動作部３２（図３参照）を動作させる。これにより、動作部３２から音及び光の少なくとも一方を含む演出が出力される。演出の一例として、タグ１０５を有する副玩具１００Ｂが銃を模したものであるので、メダル１００Ａに付されたキャラクタの名称「メダル怪獣」に副玩具１００Ｂによる属性「銃使い」が付加されて、「銃使いメダル怪獣」を含む音声が出力される。
【００６０】
図１０に示す玩具１０の使用例は、上記のメダル１００Ａと、情報保持媒体としての地図１００Ｃとを共に用いるものである。地図１００Ｃには、メダル１００Ａのタグ１０３と同様、アンテナコイル及びＩＣが一体とされたタグ１０６が複数埋め込まれている。地図１００Ｃは図示の例では日本地図であり、タグ１０６は例えば都道府県毎に設けられている。地図１００Ｃは平面状であるためメダル１００Ａが装着される際のような装着部は玩具１０に設けられていないことが想定される。したがって、玩具１０と地図１００Ｃのタグ１０６との位置関係は一定しない。
【００６１】
メダル１００Ａのタグ１０３が玩具１０の上蓋１３側に配置され、また地図１００Ｃのいずれか一つのタグ１０６が玩具１０の下蓋１４側に配置された状態で、玩具１０の操作部３６（図３参照）のスイッチ操作によって通信開始の指示がなされると、玩具１０の制御部３４（図３参照）は通信部３１（図３参照）を動作させる。通信部３１は、アンテナコイル２１とメダル１００Ａのタグ１０３及び地図１００Ｃのタグ１０６との間で信号を授受し、タグ１０３及びタグ１０６に保持された電子情報を取得する。具体的には、メダル１００Ａ及びタグ１０３は、玩具１０の上蓋１３側に隣接された（上蓋１３近傍に配置された）第１コイルループ部２１１に対して一定の位置関係に配置されており、第１コイルループ部２１１によって通信部３１との間でタグ１０３の信号の授受がされる。また、副玩具１００Ｂ及びタグ１０６は、玩具１０との位置関係が一定しないが、上蓋１３側のコイル２１１に比べて巻き数を多くすることで磁界強度を高くした下蓋１４近傍の第２コイルループ部２１２によって通信部３１との間でタグ１０６の信号の授受がされる。
【００６２】
そして、制御部３４は、通信部３１によって取得されたタグ１０３の電子情報及びタグ１０６の電子情報との組み合わせに対応する動作データを記憶部３３（図３参照）から読み出し、読み出した動作データに基づいて動作部３２（図３参照）を動作させる。これにより、動作部３２から音及び光の少なくとも一方を含む演出が出力される。演出の一例として、メダル１００Ａに付されたキャラクタの名称「メダル怪獣」に、地図１００Ｃのタグ１０６が配置された都道府県「北海道」のご当地フレーズが付加されて、たとえば「北海道メダル怪獣」を含む音声が出力される。
【００６３】
以上、説明したとおり、非接触通信装置２０を備える玩具１０によれば、一組のアンテナコイル２１及び信号処理回路２３によって、筐体１１の上蓋１３側及び下蓋１４側に配置された二つの情報保持媒体から電子情報をそれぞれ取得でき、電力及びコストを抑制することができる。そして、取得した二つの電子情報の組み合わせに応じて演出を変化させることにより、演出を多様化して玩具の興趣性を高めることが可能である。
【００６４】
ここまで、玩具１０が情報保持媒体１００のＩＣ１０２に保持された電子情報を取得する例について説明したが、ＩＣ１０２が書き換え可能に構成され、玩具１０がＩＣ１０２に電子情報を書き込むように構成することもでき、この場合に、玩具１０の制御部３４が、通信部３１によって取得された電子情報に基づいて、ＩＣ１０２に書き込む書き込み情報を生成する。そして、通信部３１によって二つの電子情報が取得された場合に、取得された二つの電子情報の組み合せに応じて書き込み情報が変化するようにしてもよい。
【００６５】
例えば、図９に示した玩具１０の使用例において、メダル１００Ａと共に用いられた副玩具１００Ｂの履歴をメダル１００Ａのタグ１０３に書き込み、後に玩具１０や玩具１０以外の外部機器（例えばゲーム筐体や入館システム等）でメダル１００Ａを使う場合に、メダル１００Ａの使用履歴に応じて特典を発生させることができる。あるいは、履歴に応じてキャラクタが表示されたり、ゲームの勝率に影響したり、特定の副玩具と通信した履歴が書き込まれたメダル１００Ａがイベント会場の入場パスとなったり、等が可能になる。そのほか、書き込む電子情報としては、遊んだ回数、キャラクタのプロパティ、ゲーム結果、等を例示することができる。
【符号の説明】
【００６６】
１０   玩具
１１   筐体
１２   筐体本体
１３   上蓋（第１面）
１４   下蓋（第２面）
１５   カバー
１６   装着部
２０   非接触通信装置
２１   アンテナコイル
２２   回路基板（電磁遮蔽体）
２３   信号処理回路
３１   通信部
３２   動作部
３３   記憶部
３４   制御部
３５   電源部
３６   操作部
１００ 情報保持媒体
１００Ａ      メダル（情報保持媒体）
１００Ｂ      副玩具（情報保持媒体）
１００Ｃ      地図（情報保持媒体）
１０１ アンテナコイル
１０２ ＩＣ
１０３ タグ
１０４ 溝
１０５ タグ
１０６ タグ
１６１ ガイドレール
２１１ 第１コイルループ部
２１２ 第２コイルループ部
ＣＬ   直線
Ｒ     非重畳領域
【図１】
2020178366.tif 000003
【図２】
2020178366.tif 000004
【図３】
2020178366.tif 000005
【図４】
2020178366.tif 000006
【図５】
2020178366.tif 000007
【図６】
2020178366.tif 000008
【図７】
2020178366.tif 000009
【図８】
2020178366.tif 000010
【図９】
2020178366.tif 000011
【図１０】
2020178366.tif 000012
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
玩具であって、
通信部、動作部、記憶部、及び制御部を備え、
前記通信部は、電子情報を保持する情報保持媒体との間で無線通信する非接触通信装置によって構成され、当該非接触通信装置は、
アンテナコイルと、
前記アンテナコイルを介して前記情報保持媒体との間で伝達される信号を処理する回路が実装された回路基板と、
前記アンテナコイル及び前記回路基板を収容した筐体と、 
を備え、
前記アンテナコイルは、前記筐体の第１面近傍に配置された第１コイルループ部と、前記筐体の第２面近傍に配置された第２コイルループ部と、を有し、
前記記憶部は、前記動作部を動作させるための複数の動作データを前記電子情報に関連付けて記憶しており、
前記制御部は、前記記憶部に記憶された前記複数の動作データのうち前記通信部によって取得された前記電子情報に対応する動作データに基づいて前記動作部を動作させ、
前記複数の動作データのうち一部の動作データは、二つの前記電子情報の組み合わせに関連付けられており、
前記通信部は、二つの前記情報保持媒体が前記筐体の前記第１面及び前記第２面にそれぞれ配置された場合に、二つの前記情報保持媒体それぞれの前記電子情報を取得し、
前記制御部は、前記通信部によって二つの前記電子情報が取得された場合に、前記通信部によって取得された二つの前記電子情報の組み合わせに対応する動作データに基づいて前記動作部を動作させる玩具。
【請求項２】
請求項１記載の玩具であって、
前記第１コイルループ部がその上にある第１平面と、前記第２コイルループ部がその上にある第２平面とは、互いに平行に配置されている玩具。
【請求項３】
請求項１または２記載の玩具であって、
前記第１コイルループ部の中心及び前記第２コイルループ部の中心は、互いに同一軸上に配置されている玩具。
【請求項４】
請求項１から３のいずれか一項に記載の玩具であって、
前記筐体の前記第１面には、前記情報保持媒体が装着される装着部が設けられている玩具。
【請求項５】
請求項１から４のいずれか一項記載の玩具であって、
前記通信部は、前記情報保持媒体に書き込み可能に構成されており、
前記制御部は、前記通信部によって取得された前記電子情報に基づいて前記情報保持媒体に書き込む書き込み情報を生成し、前記通信部によって二つの前記電子情報が取得された場合に、取得された二つの前記電子情報の組み合せに応じて前記書き込み情報を変化させる玩具。
【請求項６】
請求項１から５のいずれか一項記載の玩具であって、
前記動作部は、音、光、表示、動きの少なくとも一つを含む演出を出力する玩具。
【手続補正３】
【補正対象書類名】明細書
【補正対象項目名】０００８
【補正方法】変更
【補正の内容】
【０００８】
本発明に係る非接触通信装置は、電子情報を保持する情報保持媒体との間で無線通信する非接触通信装置であって、アンテナコイルと、前記アンテナコイルを介して前記情報保持媒体との間で伝達される信号を処理する回路が実装された回路基板と、前記アンテナコイル及び前記回路基板を収容した筐体と、電磁遮蔽体と、を備え、前記アンテナコイルは、前記筐体の第１面近傍に配置された第１コイルループ部と、前記筐体の前記第１面とは反対側の第２面近傍に配置された第２コイルループ部と、を有し、前記電磁遮蔽体は、前記第１コイルループ部及び前記第２コイルループ部を貫く直線上で、かつ、前記第１コイルループ部及び前記第２コイルループ部の間に配置され、前記第１コイルループ部及び前記第２コイルループ部は、前記直線まわりに同じ方向に巻かれ且つ、互いに直列に前記回路に接続されていることを特徴とする。また、本発明に係る玩具は、通信部、動作部、記憶部、及び制御部を備え、前記通信部は、電子情報を保持する情報保持媒体との間で無線通信する非接触通信装置によって構成され、当該非接触通信装置は、アンテナコイルと、前記アンテナコイルを介して前記情報保持媒体との間で伝達される信号を処理する回路が実装された回路基板と、前記アンテナコイル及び前記回路基板を収容した筐体と、を備え、前記アンテナコイルは、前記筐体の第１面近傍に配置された第１コイルループ部と、前記筐体の第２面近傍に配置された第２コイルループ部と、を有し、前記記憶部は、前記動作部を動作させるための複数の動作データを前記電子情報に関連付けて記憶しており、前記制御部は、前記記憶部に記憶された前記複数の動作データのうち前記通信部によって取得された前記電子情報に対応する動作データに基づいて前記動作部を動作させ、前記複数の動作データのうち一部の動作データは、二つの前記電子情報の組み合わせに関連付けられており、前記通信部は、二つの前記情報保持媒体が前記筐体の前記第１面及び前記第２面にそれぞれ配置された場合に、二つの前記情報保持媒体それぞれの前記電子情報を取得し、前記制御部は、前記通信部によって二つの前記電子情報が取得された場合に、前記通信部によって取得された二つの前記電子情報の組み合わせに対応する動作データに基づいて前記動作部を動作させることを特徴とする。